(57)【特許請求の範囲】
【請求項１】
(a)流体透過性トップシート、
(b)前記トップシートに結合された流体不透過性バックシート、
(c)前記トップシートと前記バックシートとの間に位置された吸収体コアと、
(d)前記トップシートと前記吸収体コアとの間に位置された流体透過性有孔成形フィルムのマスキング部材とを有し、
前記マスキング部材は、衛生ナプキンの周囲に沿って配置され、吸収体コアの周囲を覆い、中央に配置された開放領域を構成することを特徴とする衛生ナプキン。
【請求項２】
前記トップシートと前記バックシートと前記マスキング部材は、共通の周囲に沿って互いに固定されたことを特徴とする請求項１に記載の衛生ナプキン。
【請求項３】
前記トップシートは、不織材料であることを特徴とする請求項１に記載の衛生ナプキン。
【請求項４】
(a)有孔成形フィルムのトップシート、
(b)前記トップシートに結合された流体不透過性バックシート、
(c)前記トップシートと前記バックシートとの間に位置された吸収体コアと、
(d)前記トップシートと前記吸収体コアとの間に位置された流体透過性有孔成形フィルムのマスキング部材とを有し、
前記マスキング部材は、衛生ナプキンの周囲に沿って配置され、吸収体コアの周囲を覆い、中央に配置された開放領域を構成することを特徴とする衛生ナプキン。
【請求項５】
前記トップシートと前記バックシートと前記マスキング部材は、共通の周囲に沿って互いに固定されたことを特徴とする請求項４に記載の衛生ナプキン。
【発明の詳細な説明】
技術分野
本発明は、衛生ナプキン、パンティライナ、失禁者用パッド、等の吸収体物品に関する。更に詳細には、本発明は流体透過性の周囲マスキング部材を備えた衛生ナプキンに関する。
発明の背景
体液を吸収するように形成された衛生ナプキンは、勿論、周知である。最も簡単な形態では、衛生ナプキンは、身体と接触する液体透過性の要素と液体不透過性の保護障壁との間に置いた吸収体要素即ちコアからなる。吸収体要素（多くの場合、吸収体コアと呼ばれる）は、勿論、月経及び他の経膣排出物を受け入れて収容するようになっている。身体と接触する要素（多くの場合、トップシートと呼ばれる）は、快適であり且つ乾燥した感覚を身体表面に多かれ少なかれ提供すると同時に、流体を吸収体コア内に自由に通過させることができるようになっている。保護障壁（多くの場合、バックシートと呼ばれる）は、吸収体コアから漏れた月経又は他の経膣排出物で使用者の下着が汚れることがないようにする。
最近、吸収体コアの改良により、吸収体コアはその全吸収力が向上している。吸収体コアの吸収力を向上させるため、毛管作用による流体の移動に対する性能が改良されてきた。流体は、吸収体コアに進入するとき、好ましくは、吸収体コアの周縁部に向かって全ての方向に毛管作用によって移動できる。全吸収力を向上させることは、下着等の汚れを阻止する上で有用であることがわかっているが、吸収体コアがその容量に近づいており、体液が吸収体コアの周囲ゾーンと隣接して又は周囲ゾーン内に存在するために破損寸前であるという視覚的印象を使用者に与える。しかしながら、多くの場合、吸収体コアは、その容量に至る前に、それ以上の流体を保持することができなくなる。
発明の概要
本発明は、衛生ナプキンのような吸収体物品を提供する。更に詳細には、本発明は、周囲を持つ衛生ナプキンを提供する。衛生ナプキンは、流体透過性のトップシート、トップシートに接合された流体不透過性のバックシートを有する。トップシートは、不織布材料及び有孔賦形フィルムを含む広範な材料から製造できる。周囲を持つ吸収体コアは、トップシートとバックシートとの間に位置決めされている。流体透過性のマスキング部材が、前記トップシートと前記吸収体コアとの間に位置決めされている。マスキング部材は、前記衛生ナプキンの周囲に沿って配置され、中央に配置された開放領域を構成する。好ましくは、マスキング部材は、吸収体コアの周囲をカバーするように位置決めされる。マスキング部材は、不織布材料及び有孔賦形フィルムを含む広範な材料から製造できる。
好ましい実施例では、トップシート、バックシート、及びマスキング部材は、これらの共通の周囲に沿って互いに固定されている。
【図面の簡単な説明】
本明細書は、本発明を特定的に指摘し且つ明瞭に特許請求する請求の範囲で終わるけれども、本発明は、同じ要素を示すのに同じ参照番号を用いた添付図面と関連して以下の説明を読むことによって更によく理解されるものと考えられる。
第１図は、衛生ナプキンの構造を更に明瞭に示すために一部が切断してある、本発明の衛生ナプキンの実施例の平面図であり、
第２図は、第１図の衛生ナプキンの２−２線に沿った断面図であり、
第３図は、ラデル等に付与された一般に譲渡された米国特許第４，３４２，３１４号に開示された種類の、マスキング部材として使用するのに適した、立体的な巨視的に拡張させた有孔賦形フィルムウェブの拡大部分斜視図である。
発明の詳細な説明
「吸収体物品」という用語は、本明細書中で使用されているように、身体の滲出物を吸収して収容する装置に関する。更に詳細には、この用語は、身体から排出された種々の滲出物を吸収して収容するため、着用者の身体に当てて又は着用者の身体の近くに配置される装置に関する。「使い捨て」という用語は、本明細書中では、洗濯又は他の方法で再生されたり吸収体物品として再使用されるようになっていない物品に関する（即ち、これらは、一回使用した後に廃棄されるようになっており、好ましくは、リサイクル、堆肥化、又は他の環境に適合した方法で処分されるようになっている）。「一体の」吸収体物品は、別々のホルダ及びパッドといった別々に取扱う部品を必要としないように、互いに合一されて調和した全体を形成する別々の部品で形成された吸収体物品に関する。
本発明の一体の使い捨て吸収体物品の好ましい実施例は、第１図に示す衛生パッド即ち衛生ナプキン２０である。本明細書中で使用されているように、「衛生ナプキン」という用語は、女性が尿生殖器領域の外側の外陰部領域と隣接して着用する、着用者の身体から排出された月経流体及び他の経膣排出物（例えば血液、月経、及び尿）を吸収して収容するようになった吸収体物品に関する。一部が着用者の前庭内にあり且つ一部が着用者の前庭の外側にある陰唇間装置もまた本発明の範疇に入る。本明細書中で使用されているように、「外陰部」という用語は、外から見ることができる女性器に関する。しかしながら、本発明は、パンティライナのような女性用衛生パッド即ち月経パッド、又は失禁者用パッド等の他の吸収体物品にも適用できるということは理解されるべきである。
第１図は、本発明の衛生ナプキン２０の平らに拡げた状態での平面図であり、衛生ナプキンの構造を更に明瞭に示すために構造の部分が切り欠いてあり、着用者に面し且つ接触する衛生ナプキン２０の部分が図面を見る人の方を向いている。第１図に示すように、衛生ナプキン２０は、好ましくは液体透過性のトップシート２４、このトップシート２４に接合された液体不透過性のバックシート２６、トップシート２４とバックシート２６との間に位置決めされた吸収体コア２８、及びトップシート２４と吸収体コア２８との間に位置決めされており且つ衛生ナプキンの周囲３０と隣接した流体透過性のマスキング部材２９からなる。
衛生ナプキン２０は、二つの表面、即ち身体と接触する表面即ち「身体面」、及び衣料面を有する。第１図に示す衛生ナプキン２０は、その身体面から見たものである。身体面は、着用者の身体と隣接して着用されるようになっており、これに対し、衣料面は反対側にあり、衛生ナプキン２０の着用時に着用者の下着と隣接して配置されるようになっている。
衛生ナプキン２０は、長手方向中心線「１」及び横方向中心線「ｔ」の二つの中心線を有する。「長手方向」という用語は、本明細書中で使用されているように、衛生ナプキン２０の着用時に直立している着用者を左側身体半部及び右側身体半部に二分する垂直方向平面とほぼ整合した（例えばほぼ平行な）、衛生ナプキン２０の平面内の線、軸線、又は方向に関する。本明細書中で使用した「横方向」という用語は、長手方向に対して全体に垂直な、衛生ナプキン２０の平面内の線、軸線、又は方向に関する。
更に、第１図には、衛生ナプキン２０が、衛生ナプキン２０の外縁部が構成する周囲３０を有することが示してある。周囲３０の長手方向縁部には参照番号３２が附してあり、端縁部には参照番号３４が附してある。
第２図は、第１図の２−２線に沿った、衛生ナプキン２０の断面図である。第２図でわかるように、衛生ナプキン２０は、好ましくは、衛生ナプキン２０を着用者の下着に取り付けるための接着剤ファスニング手段３６を有する。取り外し自在の剥離ライナ３７が接着剤ファスニング手段３６を覆い、使用前に下着の股部分以外の表面に接着剤がくっつかないようにする。
トップシート、バックシート、及び吸収体コアは、種々の周知の形態（いわゆる「チューブ状」製品又はサイドフラップ製品を含む）で組み立てることができるが、衛生ナプキンの好ましい形体は、１９９０年８月２１日にオズボーンに賦与された米国特許第４，９５０，２６４号、１９８４年１月１０日にデスマライスに賦与された米国特許第４，４２５，１３０号、１９８２年３月３０日にアーに賦与された米国特許第４，３２１，９２４号、及び１９８７年８月１８日にヴァン・チルバーグに賦与された米国特許第４，５８９，８７６号に記載されている。これらの特許について触れたことにより、これらの特許の各々に開示されている内容は本明細書中に組み入れたものとする。第１図は、トップシート２４及びバックシート２６の長さ寸法及び幅寸法が吸収体コア２８よりも全体に大きい、衛生ナプキン２０の好ましい実施例を示す。トップシート２４及びバックシート２６は、吸収体コア２８の縁部を越えて延び、これによって衛生ナプキンの周囲部分を形成する。
吸収体コア２８は、液体（例えば月経及び／又は尿）を吸収し保持することができる任意の吸収体手段であるのがよい。第１図に示すように、吸収体コア２８は、身体面、衣料面、及び周囲６２を有する。周囲６２は、吸収体コア２８の外縁部によって構成され、長手方向端部には参照番号６４が附してあり、端縁部には参照番号６６が附してある。吸収体コア２８は、広範な大きさ及び形状（例えば、矩形形状、楕円形形状、砂時計形状、犬骨形状、非対称形状等）で製造でき、衛生ナプキンで一般的に使用される広範な液体吸収性材料及び一般にエアーフェルトと呼ばれる微粉砕した木材パルプのような他の吸収体から製造できる。他の適当な吸収体材料の例には、紙綿、コフォームを含む溶融吹付けポリマー、化学的に補剛した改質した即ち架橋したセルロース繊維、クリンプ加工を施したポリエステル繊維のような合成繊維、ミズゴケ、薄葉紙の包紙及び薄葉紙積層体を含む薄葉紙、吸収体フォーム、吸収体スポンジ、超吸収体ポリマー、吸収体ゲル化剤、又は任意の等価の材料又はこれらの材料の組み合わせ又は混合物が含まれる。吸収体コアの形体及び構造もまた変化させることができる（例えば、吸収体コアは、キャリパが変化するゾーン（例えば、中央部が厚くなるように賦形してある）、親水性勾配、超吸収体勾配、又は平均密度が低く且つ平均坪量が低い捕捉層を持つことができ、或いは、一つ又はそれ以上の層又は構造からなることができる）。しかしながら、吸収体コアの全吸収性は、衛生ナプキンの設計負荷及び所期の使用に匹敵するものでなければならない。更に、吸収体コアの大きさ及び吸収力は、失禁者用パッド、パンティライナ、レギュラー型衛生ナプキン、又は夜用衛生ナプキンといった種々の用途に合わせて変化させることができる。
本発明の吸収体コアとして使用するための例示の吸収体コアは、１９９０年８月２１日にオズボーンに賦与された米国特許第４，９５０，２６４号、１９８６年９月９日にワイズマン等に賦与された米国特許第４，６１０，６７８号、１９８９年５月３０日にアルマーニ等に賦与された米国特許第４，８３４，７３５号、及び１９８６年１０月２２日にデュエンク等に賦与されたプロクターアンドギャンブル社の欧州特許出願第０  １９８  ６８３号に開示されている。これらの特許について触れたことにより、これらの特許の各々に開示されている内容は本明細書に組み入れたものとする。
バックシート２６及びトップシート２４は、吸収体コア２８の衣料面及び身体面の夫々と隣接して位置決めされており、好ましくは、当該技術分野で周知の取り付け手段（図示せず）によってこれらの面に及びマスキング部材２９に又は互いに接合されている。例えば、バックシート２６及び／又はトップシート２４は、均等な連続した接着剤層、パターンをなした接着剤層、又は接着剤の別々の線、螺旋、又はスポットによって吸収体コア２８、マスキング部材２９、又は互いに固定されている。満足のいく結果が得られることがわかっている接着剤は、ミネソタ州セントポールのＨ．Ｂ．フューラー社がＨＬ−１２５８又はＨ−２０３１の表示で製造している接着剤である。取り付け手段は、好ましくは、１９８６年５月４日にミネトラ等に賦与された米国特許第４，５７３，９８６号に開示されているような接着剤のフィラメントの開放パターンネットワークからなる。同特許について触れたことにより、その特許に開示されている内容は本明細書中に組み入れたものとする。フィラメントの開放パターンネットワークからなる例示の取り付け手段は、１９７５年１０月７日にスプラーグ・ジュニアに賦与された米国特許第３，９１１，１７３号、１９７８年１１月２２日にジッカー等に賦与された米国特許第４，７８５，９９６号、及び１９８９年６月２７日にウェレニックに賦与された米国特許第４，８４２，６６６号に示された装置及び方法に示されているような螺旋状のパターンをなすように渦を巻いた接着剤のフィラメントの幾つかの線からなる。これらの特許について触れたことにより、これらの特許の各々に開示されている内容は本明細書中に組み入れたものとする。変形例では、取り付け手段は、熱結合、圧力結合、超音波結合、動的機械的結合、又は任意の他の適当な取り付け手段、又は当該技術分野で周知のこれらの取り付け手段の組み合わせからなるのがよい。
バックシート２６は、液体（例えば月経及び／又は尿）に対して不透過性であり、好ましくは薄いプラスチックフィルムから製造されるが、他の可撓性の液体不透過性材料を使用してもよい。本明細書中で使用されているように、「可撓性」という用語は、柔軟であり且つ人体の全体形状即ち輪郭に容易に馴染む材料に関する。バックシートは、吸収体コア２８に吸収され且つ包含された滲出物が、衛生ナプキン２０と接触するパンツ、パジャマ、下着といった物品を濡らすことがないようにする。かくして、バックシートは、織布材料又は不織布材料、ポリエチレンやポリプロピレンでできた熱可塑性フィルムのようなポリマーフィルム、又はフィルムでコーティングした不織布材料のような複合材料からなるのがよい。好ましくは、バックシートは、厚さが約０．０１２mm乃至約０．０５１mm（約０．５ミル乃至約２．０ミル）のポリエチレンフィルムである。例示のポリエチレンフィルムは、オハイオ州シンシナチのクロペー社がＰ１８−０４０１の表示で製造しているポリエチレンフィルム、及びインディアナ州テルホイテのエチル社のヴィスクイーン部がＸＰ−３９３８５の表示で製造しているポリエチレンフィルムである。バックシートには、好ましくは、より布に近い外観を与えるため、エンボス加工及び／又は艶消し仕上げが施してある。更に、バックシート２６は、吸収体コア２８から水蒸気を逃がすことができる（即ち、通気性がある）が、滲出物を通さない。
トップシート２４は、柔軟であり、柔らかな触感を持ち、着用者の皮膚に対して刺激がない。更に、トップシート２４は液体透過性であり、その厚さを通って液体（例えば、月経及び／又は尿）が容易に透過できる。適当なトップシート２４は、織布材料及び不織布材料、有孔成形熱可塑性フィルム、有孔プラスチックフィルム、及びヒドロフォームド熱可塑性フィルムのようなポリマー材料、多孔質フォーム、網状フォーム、網状熱可塑性フィルム、及び熱可塑性スクリムのような広範な材料から製造できる。適当な織布材料及び不織布材料は、天然繊維（例えば木材繊維や綿繊維）、合成繊維（例えば、ポリエステル繊維、ポリプロピレン繊維、又はポリエチレン繊維）、又は天然繊維と合成繊維の混紡でできている。好ましいトップシートは、有孔賦形フィルムからなる。有孔賦形フィルムは、身体の滲出物に対して透過性であるが吸収性でなく、液体を逆流させて着用者の皮膚を再び濡らす傾向が小さいため、トップシートについて好ましい。かくして、身体と接触した賦形フィルムの表面は乾燥したままであり、これによって、身体が汚れ難くし、着用者に対する快適性を増大する。適当な賦形フィルムは、１９７５年１２月３０日にトンプソンに賦与された米国特許第３，９２９，１３５号、１９８２年４月１３日にミュラン等に賦与された米国特許第４，３２４，２４６号、１９８２年８月３日にラデル等に賦与された米国特許第４，３４２，３１４号、１９８４年７月３１日にアー等に賦与された米国特許第４，４６３、０４５号、及び１９９１年４月９日にベアードに賦与された米国特許第５，００６，３９４号に記載されている。これらの特許について触れたことにより、これらの特許の各々に開示されている内容は本明細書中に組み入れたものとする。本発明に対する好ましいトップシートは、上掲の特許のうちの一つ又はそれ以上に記載された賦形フィルムであり、衛生ナプキンについて、オハイオ州シンシナチのプロクターアンドギャンブル社が「ドライウィーブ（DRY-WEAVE）」として販売している。
本発明の好ましい実施例では、賦形フィルム製トップシートの身体面は、親水性にしてある。これは、身体面が親水性でない場合よりも迅速に液体がトップシートを通過するようにするためである。そのため、月経流体が、吸収体コアに流入してこれによって吸収されないで、トップシートから流出する可能性を小さくする。好ましい実施例では、１９９１年１１月１９日にアジズ等に賦与された「不織布及び有孔フィルム製カバーシートを持つ吸収体物品」という標題の米国特許出願第０７／７９４，７４５号に記載されているように、賦形フィルム製トップシートのポリマー材料に界面活性剤を組み込む。同特許について触れたことにより、その特許に開示されている内容は本明細書中に組み入れたものとする。変形例では、本明細書中に組み入れた上掲のオズボーンの米国特許第４，９５０，２５４号に記載されているように界面活性剤で処理することによって、トップシートの身体面を親水性にすることができる。
液体透過性のマスキング部材２９は、トップシート２４とバックシート２６との間に位置決めされ、好ましくは、衛生ナプキン２０の周囲３０の一部を形成する。マスキング部材２９は、好ましくは、吸収体コア２８の身体面上に位置決めされ、吸収体コア２８の周囲６２をカバーする。適当なマスキング部材２９は、織布材料及び不織布材料、熱可塑性有孔賦形フィルム、有孔プラスチックフィルム、及びヒドロフォームド熱可塑性フィルムのようなポリマー材料、多孔質フォーム、網状フォーム、網状熱可塑性フィルム、及び熱可塑性スクリムのような広範な材料から製造できる。適当な織布材料及び不織布材料は、天然繊維（例えば木材繊維や綿繊維）、合成繊維（例えば、ポリエステル繊維、ポリプロピレン繊維、又はポリエチレン繊維のようなポリマー繊維）、又は天然繊維と合成繊維の混紡でできている。好ましいマスキング部材は、有孔賦形フィルムからなる。有孔賦形フィルムは、身体の滲出物に対して透過性であるが、着用者の皮膚に向かって液体を逆方向に通す傾向が小さいため、マスキング部材２９について好ましい。適当な賦形フィルムは、上掲の、トンプソンに賦与された米国特許第３，９２９，１３５号、ミュラン等に賦与された米国特許第４，３２４，２４６号、ラデル等に賦与された米国特許第４，３４２，３１４号、アー等に賦与された米国特許第４，４６３，０４５号、及びベアードに賦与された米国特許第５，００６，３９４号に記載されている。これらの特許について触れたことにより、これらの特許の各々に開示されている内容は本明細書中に組み入れたものとする。
第３図は、衛生ナプキン２０のマスキング部材２９として使用するのに適していることがわかっている、巨視的に拡張させた液体透過性の立体的な繊維状有孔ウェブ３９の好ましい実施例の拡大部分斜視図である。「巨視的に拡張させた」という用語は、本発明の立体的なプラスチックウェブを説明するのに使用する場合には、その両面が、形成構造の巨視的断面と対応する立体的な凹凸表面パターンを呈するように、立体的な形成構造の表面と形態を一致させたウェブ、リボン、及びフィルムに関する。前記パターンを形成する表面の凹凸は、これを見る人の眼とウェブの平面との間の垂直距離が約３０．４８cm（１２インチ）である場合に、通常の裸眼で、即ち、対象物の見掛けの大きさ又は距離を変化させたり視力を変化させたりする器具の助けなしで２０／２０の視力を持つ通常の裸眼で個々に確認できる。本発明のウェブの外観を説明するために本明細書中で使用した「繊維状」という用語は、任意の微細なスケールの孔のパターンに関する。このパターンは、ランダムであってもよいしランダムでなくてもよく、網状であってもよいし網状でなくてもよく、これは、人間の目で見たときに繊維質の織布ウェブ又は不織布ウェブの全体としての外観及び印象を意味する。第３図でわかるように、ウェブの繊維状の外観は、繊維状要素の連続体からなり、繊維状要素の各々の両端は、少なくとも一つの他の繊維状要素と相互連結している。第３図に開示した実施例では、相互連結された繊維状要素は、五角形形状の毛管４０からなるパターンをなしたネットワークを形成する。繊維状の外観を示すウェブ３９は、平面４２内にあるウェブの最も上側の表面即ち着用者と接触する表面４１から平面４４内にあるウェブの最も下側の表面即ち吸収体パッドと接触する表面４３まで延びる立体的微小構造を形成し、これは、流体をウェブの最も上側の表面４１から最も下側の表面４３まで、隣接した毛管４０間で横方向に透過させることなく、迅速に輸送する。本明細書中で使用されているように、「微小構造」という用語は、顕微鏡又は他の当該技術分野で周知の他の手段で拡大しなければ、その詳細を人間の眼で容易に確認できない微小なスケールの構造に関する。
孔４５は、ウェブの第１表面内で互いに相互連結された、互いに交差した多数の繊維状要素、即ち要素４６、４７、４８、４９、及び５０によって形成されている。各繊維状要素は、ベース部分、例えば平面４２内に配置されたベース部分５２を有する。各ベース部分は、側壁部分、例えばベース部分の各縁部に取り付けられた側壁部分５３を有する。側壁部分５３は、全体に、ウェブの第２表面４３の方向に延びている。繊維状要素の互いに交差した側壁部分は、ウェブの第１及び第２の表面の中間で互いに相互連結されており、第２表面の平面４４で互いに実質的に同時に終端する。
特に好ましい実施例では、相互連結された側壁部分は、第２表面４４の平面内で互いに実質的に同時に終端し、ウェブの第２表面４３に孔５５を形成する。相互連結された側壁部分によって形成された毛管４０からなるネットワークにより、流体をウェブの第１表面からウェブの第２表面まで直接的に、隣接した毛管間で流体を横方向に透過させることなく、自由に移送する。
次に第１図及び第２図を参照する。マスキング部材２９の中央には、開放領域６０がある。流体は、トップシート２４に当たると、トップシート２４を容易に通過し、吸収体コア２８内に移送される。次いで、吸収体コア２８内の流体は、吸収体コアの側縁部及び端縁部即ち周囲に向かって横方向に毛管作用によって移動する。流体が吸収体コアの側縁部及び端縁部に近づくとき、マスキング部材２９は、吸収体コアの側部分及び端部分内に収容された流体を隠すのを助ける。更に、マスキング部材２９は、流体が衛生ナプキン２０の側縁部及び端縁部に沿って漏出することに対する追加の障壁を形成することによって側部及び端部が破損しないようにするのを助ける。
次に第２図を参照する。マスキング部材は、トップシート２４及びバックシート２６の両方に固定され、周囲３０の一部を形成した状態で示してある。変形例では、マスキング部材２９はトップシートだけ、バックシートだけ、又は吸収体コア２８だけに固定されているのがよい。更に、マスキング部材は、トップシート、バックシート、又は吸収体コアの任意の組み合わせに固定できる。マスキング部材２９は、単一の材料部品として示してあるが、多数の部品からつくることができ、種々の形状に合わせて切断することができる。
使用に当たっては、衛生ナプキン２０は、任意の周知の支持手段又は取り付け手段（図示せず）で所定位置に保持することができる。好ましくは、衛生ナプキンを使用者の下着又はパンティに置き、接着剤のようなファスナでこれに固定する。接着剤は、衛生ナプキンをパンティの股部分に固定するための手段を提供する。かくして、バックシート２６の外面６４の一部又は全部を接着剤でコーティングする。本発明では、当該技術分野でこのような目的に対して使用される任意の接着剤を使用でき、感圧接着剤が好ましい。適当な接着剤は、オハイオ州コロンバスのセンチュリー接着剤社が製造しているセンチュリーＡ−３０５−IV、及びニュージャージー州ブリッジウォーターのナショナルスターチアンドケミカル社が製造しているインスタントロック３４−２８２３である。更に、適当な接着剤ファスナは、米国特許４，９１７，６９７号に記載されている。感圧接着剤は、衛生ナプキンの使用前には、代表的には、感圧接着剤が乾燥したり使用前にパンティの股部分以外の表面にくっついたりしないようにするため、取り外し自在の剥離ライナで覆われている。適当な剥離ライナは、上掲の米国特許第４，９１７，６９７号にも記載されている。本発明では、このような目的で一般的に使用されている商業的に入手可能な任意の剥離ライナを使用できる。適当な剥離ライナの非限定的例には、ＢＬ３０ＭＧ−Ａサイロックス（Silox）Ｅ１／０及びＢＬ３０ＭＧ−Ａサイロックス４Ｐ／Ｏがあり、これらは、両方とも、ウィスコンシン州メナシャのアクロシル社が製造している。本発明の衛生ナプキン２０は、剥離ライナを取り外した後、接着剤がパンティと接触するように衛生ナプキンをパンティに置くことによって使用される。接着剤は、衛生ナプキンを使用中にパンティ内の所定位置に維持する。
本発明の好ましい実施例では、衛生ナプキンは二つのフラップ３４を有し、これらのフラップの各々は、吸収体コアの側縁部と隣接しており且つこの側縁部から横方向に延びている。フラップは、着用者のパンティの股領域で縁部を越えて垂れ下がるようになっており、そのため、フラップは着用者のパンティの縁部と大腿との間に配置される。フラップは、少なくとも二つの目的で役立つ。第１の目的は、フラップは、好ましくはパンティの縁部に沿って二重壁障壁を形成することによって、着用者の身体及びパンティが月経流体で汚れないようにするのに役立つということである。第２の目的は、フラップには、フラップをパンティの下に折り返してパンティの衣料に面する側に取り付けることができるように、好ましくはその衣料面に取り付け手段が設けられている。このようにして、フラップは衛生ナプキンをパンティに適正に位置決めされた状態に維持するのに役立つ。フラップは、トップシート、バックシート、薄葉紙、又はこれらの材料の組み合わせと同様の材料を含む種々の材料でつくることができる。更に、フラップは、ナプキンの主本体部分に取り付けられた別体の要素であってもよいし、トップシート、マスキング部材、及びバックシートの延長部からなってもよい（即ちこれらのシートと一体である）。本発明の衛生ナプキンとともに使用するのに適した、又は本発明の衛生ナプキンとともに使用するようになったフラップを持つ多数の衛生ナプキンが、１９８７年８月１８日にヴァン・チルバーグに賦与された米国特許第４，６８７，４７８号、１９８６年５月２０日にヴァン・チルバーグに賦与された米国特許第４，５８９，８７６号、及び１９８６年８月２６日にメディングリーに賦与されたという標題の米国特許第４，６０８，０４７号に開示されている。
本発明の特定の実施例を図示し且つ説明したが、本発明の精神及び範囲から逸脱することなく、他の変形及び変更を行うことができるということは当業者には明らかであろう。従って、添付の請求の範囲には、本発明の範疇のこれらの変形及び変更の全てが含まれる。
【図１】
0003759609.tif 000002
【図２】
0003759609.tif 000003
【図３】
0003759609.tif 000004